(57)【要約】      （修正有）【課題】光投射装置から投射される光を用いて小便を当てるべき位置を使用者に適切に認識させ得る小便器装置の提供。【解決手段】小便器装置は、小便器本体と、吐水装置と、検知部と、光投射装置と、制御部とを備える。小便器本体は、小便を受けるボウル面を備える。吐水装置は、ボウル面に洗浄水を吐出する。検知部は、使用者を検知する。光投射装置は、ボウル面に光を投射することにより、使用者が小便を当てるべき位置を示すターゲットマークをボウル面に表示する。制御部は、吐水装置を制御する。また、制御部は、検知部が使用者を検知している状態から使用者を検知していない状態になった場合に、吐水装置から洗浄水を吐出させる使用後洗浄処理と、検知部が使用者を検知している状態において、光投射装置からボウル面に光が投射される期間の少なくとも一部の期間と重複して吐水装置からボウル面に洗浄水を吐出させる反射抑制処理とを有する。【選択図】図６
2020122328.tif 000002
【特許請求の範囲】
【請求項１】
小便を受けるボウル面を備えた小便器本体と、
前記ボウル面に洗浄水を吐出する吐水装置と、
使用者を検知する検知部と、
前記ボウル面に光を投射することにより、前記使用者が小便を当てるべき位置を示すターゲットマークを前記ボウル面に表示する光投射装置と、
前記吐水装置を制御する制御部と
を備え、
前記制御部は、
前記検知部が前記使用者を検知している状態から前記使用者を検知していない状態になった場合に、前記吐水装置から洗浄水を吐出させる使用後洗浄処理と、
前記検知部が前記使用者を検知している状態において、前記光投射装置から前記ボウル面に光が投射される期間の少なくとも一部の期間と重複して前記吐水装置から前記ボウル面に洗浄水を吐出させる反射抑制処理とを有する、小便器装置。
【請求項２】
前記光投射装置は、
前記検知部が前記使用者を検知した場合に、前記ボウル面への光の投射を開始し、
前記制御部は、
前記光投射装置から前記ボウル面への光の投射が開始された後で、前記反射抑制処理を開始する、請求項１に記載の小便器装置。
【請求項３】
前記制御部は、
前記検知部による前記使用者の検知結果に基づき、前記小便器本体から前記使用者までの距離、または、前記使用者の前記小便器本体への接近速度が閾値以下のときに、前記反射抑制処理を開始する、請求項１または２に記載の小便器装置。
【請求項４】
前記制御部は、
前記検知部による前記使用者の検知結果に基づき、前記小便器本体から前記使用者までの距離、または、前記使用者の前記小便器本体への接近速度が前記閾値以下であると判定した場合に、前記光投射装置から前記ボウル面への光の投射を開始させ、この前記使用者までの距離、または、前記使用者の前記小便器本体への接近速度が前記閾値以下であると判定した状態が所定時間以上継続した場合に、前記反射抑制処理を開始する、請求項３に記載の小便器装置。
【請求項５】
前記制御部は、
前記反射抑制処理において、前記使用後洗浄処理において使用する洗浄水の量よりも少ない量の洗浄水を前記吐水装置から前記ボウル面に吐出させる、請求項１〜４のいずれか一つに記載の小便器装置。
【請求項６】
前記吐水装置は、
前記反射抑制処理において、前記使用者が小便を当てるべき位置と、前記反射抑制処理を行わないと仮定した場合に前記使用者が小便を当てるべき位置から反射した前記ターゲットマークが映し出される位置とを含む領域に洗浄水を吐出する、請求項１〜５のいずれか一つに記載の小便器装置。
【発明の詳細な説明】
【技術分野】
【０００１】
開示の実施形態は、小便器装置に関する。
【背景技術】
【０００２】
従来、小便を受けるボウル面に光を投射することによって小便を当てるべき位置を示す像（ターゲットマーク）をボウル面に映し出す光投射装置を備えた小便器装置が知られている（特許文献１参照）。
【先行技術文献】
【特許文献】
【０００３】
【特許文献１】特開２０１８−４０２４０号公報
【発明の概要】
【発明が解決しようとする課題】
【０００４】
上述した従来技術においては、光投射装置から投射された光がボウル面で反射することで、小便を当てるべき位置以外の位置にも像が映し出されるおそれがある。このため、使用者は、小便を当てるべき位置を適切に認識することができないおそれがある。
【０００５】
実施形態の一態様は、上記に鑑みてなされたものであって、光投射装置から投射される光を用いて小便を当てるべき位置を使用者に適切に認識させることができる小便器装置を提供することを目的とする。
【課題を解決するための手段】
【０００６】
実施形態の一態様に係る小便器装置は、小便を受けるボウル面を備えた小便器本体と、前記ボウル面に洗浄水を吐出する吐水装置と、使用者を検知する検知部と、前記ボウル面に光を投射することにより、前記使用者が小便を当てるべき位置を示すターゲットマークを前記ボウル面に表示する光投射装置と、前記吐水装置を制御する制御部とを備え、前記制御部は、前記検知部が前記使用者を検知している状態から前記使用者を検知していない状態になった場合に、前記吐水装置から洗浄水を吐出させる使用後洗浄処理と、前記検知部が前記使用者を検知している状態において、前記光投射装置から前記ボウル面に光が投射される期間の少なくとも一部の期間と重複して前記吐水装置から前記ボウル面に洗浄水を吐出させる反射抑制処理とを有する。
【０００７】
光投射装置からボウル面に光が投射される期間の少なくとも一部の期間と重複して吐水装置からボウル面に洗浄水を吐出させることで、光投射装置から投射された光のボウル面での反射を抑えることができる。これにより、小便を当てるべき位置以外の位置に像が映し出されることが抑制される。したがって、光投射装置から投射される光を用いて小便を当てるべき位置を使用者に適切に認識させることができる。
【０００８】
また、前記光投射装置は、前記検知部が前記使用者を検知した場合に、前記ボウル面への光の投射を開始し、前記制御部は、前記光投射装置から前記ボウル面への光の投射が開始された後で、前記反射抑制処理を開始する。
【０００９】
光投射装置のボウル面への光の投射が開始された直後においては、ターゲットマークの反射が抑制されず、反射による像がボウル面に映し出されることで、使用者にターゲットマークの存在を気付かせ易くすることができる。また、その後、反射抑制処理が開始されてターゲットマークの反射が抑制される。これにより、反射による像が消えるため、使用者にターゲットマークの位置を正しく認識させることができる。
【００１０】
また、前記制御部は、前記検知部による前記使用者の検知結果に基づき、前記小便器本体から前記使用者までの距離、または、前記使用者の前記小便器本体への接近速度が閾値以下のときに、前記反射抑制処理を開始する。
【００１１】
これにより、小便器装置の前を横切っただけの人に反応して吐水が開始されたりすることを抑制することができる。すなわち、無駄水の発生を抑制することができる。また、使用者が小便器装置に十分に接近して用を足す位置に到達したときにターゲットマークが表示されるようになるため、ターゲットマークを適切なタイミングで表示させることができる。
【００１２】
また、前記制御部は、前記検知部による前記使用者の検知結果に基づき、前記小便器本体から前記使用者までの距離、または、前記使用者の前記小便器本体への接近速度が前記閾値以下であると判定した場合に、前記光投射装置から前記ボウル面への光の投射を開始させ、この前記使用者までの距離、または、前記使用者の前記小便器本体への接近速度が前記閾値以下であると判定した状態が所定時間以上継続した場合に、前記反射抑制処理を開始する。
【００１３】
小便器装置の前を人が横切っただけでも、横切る人の位置や移動速度等によっては、小便器本体から使用者までの距離、または、使用者の小便器本体への接近速度が閾値以下であると判定されるおそれがある。これに対し、小便器本体から使用者までの距離、または、使用者の小便器本体への接近速度が閾値以下であると判定した状態が所定時間以上継続した場合に、吐水装置からボウル面への吐水を開始させることで、無駄水の発生をより確実に抑制することができる。
【００１４】
また、小便器装置の前を横切っただけの人に反応して光投射装置からの光の投射が開始されたりすることを抑制することができる。
【００１５】
また、前記制御部は、前記反射抑制処理において、前記使用後洗浄処理において使用する洗浄水の量よりも少ない量の洗浄水を前記吐水装置から前記ボウル面に吐出させる。これにより、洗浄水の使用量を抑えることができる。
【００１６】
また、前記吐水装置は、前記反射抑制処理において、前記使用者が小便を当てるべき位置と、前記反射抑制処理を行わないと仮定した場合に前記使用者が小便を当てるべき位置から反射した前記ターゲットマークが映し出される位置とを含む領域に洗浄水を吐出する。
【００１７】
ターゲットマークが表示される位置に洗浄水を付着させることで、ターゲットマークが表示される位置から反射する光を洗浄水によって乱反射させることができる。これにより、小便を当てるべき位置以外の位置に反射による像が映し出されることを抑制することができる。また、反射による像が映し出される位置に洗浄水が付着することで、かかる位置においても光を乱反射させることができる。したがって、これによっても、小便を当てるべき位置以外の位置に反射による像が映し出されることを抑制することができる。
【発明の効果】
【００１８】
実施形態の一態様によれば、光投射装置から投射される光を用いて小便を当てるべき位置を使用者に適切に認識させることができる。
【図面の簡単な説明】
【００１９】
【図１】図１は、実施形態に係る小便器装置の構成を示すブロック図である。
【図２】図２は、実施形態に係る小便器装置の斜視図である。
【図３】図３は、実施形態に係る小便器装置の正面図である。
【図４】図４は、図３におけるＩＶ−ＩＶ線断面図である。
【図５】図５は、小便を当てるべき位置以外の場所に像が映し出される様子の一例を示す図である。
【図６】図６は、吐水装置および光投射装置の制御タイミングを示すタイミングチャートである。
【図７】図７は、小便器装置による一連の処理手順を示すフローチャートである。
【図８】図８は、光投射装置および表示部の斜視図である。
【図９】図９は、光投射装置の本体部の分解斜視図である。
【図１０】図１０は、図４に示すＨ部の拡大図である。
【発明を実施するための形態】
【００２０】
以下、添付図面を参照して、本願の開示する小便器装置の実施形態を詳細に説明する。なお、以下に示す実施形態によりこの発明が限定されるものではない。
【００２１】
＜小便器装置の構成＞
まず、実施形態に係る小便器装置の構成について図１〜図４を参照して説明する。図１は、実施形態に係る小便器装置の構成を示すブロック図である。図２は、実施形態に係る小便器装置の斜視図である。図３は、実施形態に係る小便器装置の正面図である。図４は、図３におけるＩＶ−ＩＶ線断面図である。
【００２２】
以下では、位置関係を明確にするために、互いに直交するＸ軸、Ｙ軸およびＺ軸を規定し、Ｚ軸正方向を鉛直上向き方向とする。また、以下では、Ｘ軸に沿った方向を「前後方向」と規定し、Ｙ軸に沿った方向を「左右方向」と規定する。
【００２３】
図１に示すように、実施形態にかかる小便器装置１は、小便器本体２と、吐水装置３と、検知部４と、光投射装置５と、表示部６と、制御部７とを備える。
【００２４】
小便器本体２は、図２〜図４に示すように、壁面Ｗに取り付けて使用される壁掛け式の小便器であり、たとえば陶器で形成される。小便器本体２は、壁面Ｗに当接する後端面（背面）から前端部にかけて左右幅が狭くなる形状を有しており、内側には小便を受けるボウル面２１が形成される。
【００２５】
ボウル面２１は、壁面Ｗと概ね平行に延びる正面部２１ａと、正面部２１ａの左右両側から、小便器本体２の前端部に向かって延びる側面部２１ｂとを含む。側面部２１ｂは、上端から下方に向けて幅が広くなる概ね三角形状に形成されている（図３参照）。ボウル面２１は、その上部においては概ね平面状に構成され、下方にかけて前端部側にせり出すように湾曲して形成されている。また、ボウル面２１の正面部２１ａは、両側の側面部２１ｂと滑らかに連なるように湾曲している。
【００２６】
図４に示すように、ボウル面２１の底部には、ボウル面２１が受けた尿及び洗浄水を小便器本体２外に排出する排水口２２が設けられる。小便器本体２には、排水口２２と連通する排水管２３が設けられ、排水管２３は、外部に位置する排水配管（図示せず）に接続される。排水口２２には、複数の開口部が形成された目皿２４が載置される。
【００２７】
吐水装置３は、ボウル面２１に洗浄水を吐出する。吐水装置３は、ボウル面２１の上部に設けられるスプレッダ３１と、スプレッダ３１の下部に設けられた吐水口３２（図４参照）と、給水源から供給される洗浄水を吐水口３２に導く給水管３３と、給水管３３を開閉する電磁弁（図示せず）とを備える。吐水口３２は、スプレッダ３１の取付面に沿って延びる薄型の開口であり、下方に向けて扇形に広がるように構成されている。これにより、図１の矢印Ｆに示すように、吐水装置３から吐出される洗浄水は、ボウル面２１の正面部２１ａに沿って下方に広がるように流れ、その一部は、ボウル面２１の側面部２１ｂに設けられた導水棚２１ｃに載せられ、小便器本体２の前端部まで導かれる。吐水装置３の電磁弁は、制御部７と電気的に接続されており、制御部７からの指令に基づいて開閉する。
【００２８】
検知部４は、たとえばマイクロ波センサであり、マイクロ波を用いて使用者を検知する。検知部４は、たとえば小便器本体２の背面に設けられる。検知部４は、小便器本体２の正面視において吐水装置３の側方に位置決めされており、斜め下方に向けてマイクロ波を発信する。マイクロ波は、小便器本体２の背面側からボウル面２１を透過して小便器本体２の前方へ発信され、検知部４は、使用者に当たって反射したマイクロ波を受信することで使用者を検知する。また、検知部４は、使用者の有無だけでなく、たとえば、発信したマイクロ波と受信したマイクロ波との周波数のずれや、受信したマイクロ波の強度変化に基づき、「使用者が接近している」、「使用者が遠ざかっている」などの使用者の動きを検知することもできる。検知部４は、制御部７と電気的に接続されており、検知結果を制御部７へ出力する。
【００２９】
光投射装置５は、スプレッダ３１に内蔵される。光投射装置５は、たとえばＬＥＤ（Light  Emitting  Diode）等の発光ダイオードを備えており、発光ダイオードにより発光した光をボウル面２１に投射することにより、ボウル面２１にターゲットマークＭを表示する。ターゲットマークＭは、使用者が小便を当てるべき位置を示す像である。図２では、ターゲットマークＭが円形である場合の例を示しているが、ターゲットマークＭの形状は円形に限定されない。光投射装置５は、制御部７と電気的に接続されており、制御部７からの指令に基づいて発光する。
【００３０】
表示部６は、光投射装置５と同様にスプレッダ３１に内蔵される。表示部６は、たとえばＬＥＤ等の発光ダイオードを備えており、発光ダイオードにより発光した光をスプレッダ３１を介してスプレッダ３１の前方に向けて投射することで、小便器本体２の状態を使用者に報知する。表示部６は、制御部７と電気的に接続されており、制御部７からの指令に基づいて発光する。
【００３１】
制御部７は、たとえば、マイクロプロセッサ、メモリ、インターフェイス回路、及びこれらを作動させるプログラム等を含んで構成される。制御部７は、吐水装置３、検知部４、光投射装置５および表示部６と電気的に接続されており、検知部４の検知結果に基づき、吐水装置３、光投射装置５および表示部６を制御する。
【００３２】
たとえば、制御部７は、検知部４の検知結果に基づいて使用者が存在すると判定した場合に、スプレッダ３１に内蔵された光投射装置５に電力を供給して光投射装置５の発光ダイオードを発光させる。これにより、ボウル面２１における小便を当てるべき位置にターゲットマークＭが表示される。
【００３３】
ここで、ボウル面２１は、凹凸が少なく滑らかであり、また、光を反射し易い白色で形成されることが多い。このため、光投射装置５から投射された光がボウル面２１で反射することで、小便を当てるべき位置以外の位置にも像が映し出されるおそれがある。
【００３４】
図５は、小便を当てるべき位置以外の場所に像が映し出される様子の一例を示す図である。上述したように、ボウル面２１は、その上部においては概ね平面状に構成され、下方にかけて前端部側（使用者が立つ側）にせり出すように湾曲して形成されている。また、ターゲットマークＭは、ボウル面２１のうち前端部側にせり出すように湾曲した部分に表示される。このため、図５に示すように、ターゲットマークＭが表示される位置（小便を当てるべき位置）から反射した光が、当該位置の上方に位置するボウル面２１の部分に当たることによって、ターゲットマークＭの上方に反射による像ＭＲ１が映し出されるおそれがある。
【００３５】
また、上述したように、ボウル面２１は、正面部２１ａが両側の側面部２１ｂと滑らかに連なるように湾曲している。このため、ターゲットマークＭが表示される位置から反射した光が、当該位置の両側方に位置するボウル面２１の部分に当たることによって、ターゲットマークＭの両側方にも反射による像ＭＲ２が映し出されるおそれがある。
【００３６】
このように、小便を当てるべき位置以外の位置に像ＭＲ１，ＭＲ２が映し出されると、使用者は、小便を当てるべき位置を適切に認識することができないおそれがある。
【００３７】
そこで、制御部７は、光投射装置５からボウル面２１に光が投射される期間の少なくとも一部の期間と重複して吐水装置３からボウル面２１に洗浄水を吐出する反射抑制処理を行うこととした。
【００３８】
吐水装置３は、少なくともターゲットマークＭが表示される位置すなわち小便を当てるべき位置に洗浄水が付着するように洗浄水を吐出する。ターゲットマークＭが表示される位置に洗浄水を付着させることで、ターゲットマークＭが表示される位置から反射する光を洗浄水によって乱反射させることができる。これにより、小便を当てるべき位置以外の位置に像ＭＲ１，ＭＲ２が映し出されることを抑制することができる。
【００３９】
また、吐水装置３は、像ＭＲ１，ＭＲ２が映し出される位置にも洗浄水が付着するように洗浄水を吐出する。像ＭＲ１，ＭＲ２が映し出される位置に洗浄水が付着することで、かかる位置においても光を乱反射させることができるため、これによっても、小便を当てるべき位置以外の位置に像ＭＲ１，ＭＲ２が映し出されることを抑制することができる。
【００４０】
このように、吐水装置３は、使用者が小便を当てるべき位置と、使用者が小便を当てるべき位置から反射したターゲットマークＭの像ＭＲ１，ＭＲ２が映し出される位置とを含む領域に洗浄水を吐出する。これにより、小便を当てるべき位置以外の位置に像ＭＲ１，ＭＲ２が映し出されることをより確実に抑制することができる。
【００４１】
＜小便器装置の具体的動作＞
次に、上述した小便器装置１の具体的動作について図６を参照して説明する。図６は、吐水装置３および光投射装置５の制御タイミングを示すタイミングチャートである。
【００４２】
図６に示すように、制御部７は、検知部４による使用者の検知状態が「非検知」（使用者を検知していない状態）から「検知」（使用者を検知している状態）に切り替わった場合に、光投射装置５に電力を供給して光投射装置５の発光ダイオードを発光させる。これにより、光投射装置５がＯＦＦ状態からＯＮ状態となり、ボウル面２１における小便を当てるべき位置にターゲットマークＭが表示される。なお、ここでいう「検知部が使用者を検知していない状態」とは、検知部４による検知によって制御部７が小便器本体２から所定範囲内に使用者がいないと判定した場合を含む。
【００４３】
その後、制御部７は、検知部４が使用者を検知し続けている時間が所定時間（たとえば、１〜２秒）以上となった場合に、吐水装置３の電磁弁を開いて、吐水装置３を止水状態から吐水状態に切り替える。これにより、ボウル面２１に洗浄水が吐出されることで、ターゲットマークＭの反射が抑制される。
【００４４】
このように、制御部７は、光投射装置５からボウル面２１への光の投射が開始された後で、吐水装置３からボウル面２１への吐水を開始させる。これにより、光投射装置５のボウル面２１への光の投射が開始された直後においては、ターゲットマークＭの反射が抑制されず、像ＭＲ１，ＭＲ２（図５参照）がボウル面２１に映し出されることで、使用者にターゲットマークＭの存在を気付かせ易くすることができる。その後、反射抑制処理が開始されてターゲットマークＭの反射が抑制されることで、像ＭＲ１，ＭＲ２が消えるため、使用者にターゲットマークＭの位置を正しく認識させることができる。
【００４５】
ところで、制御部７は、たとえば検知部４によって受信されたマイクロ波の強度から、使用者と小便器装置１との距離を算出することができる。また、制御部７は、たとえば検知部４によって受信されたマイクロ波の強度変化から、使用者の小便器装置１への接近速度を算出することができる。そこで、制御部７は、検知部４の検知結果を用いて算出される小便器本体２から使用者までの距離、または、使用者の小便器本体２への接近速度が閾値以下であると判定した場合に、光投射装置５からボウル面２１への光の投射および吐水装置３からボウル面２１への吐水を開始させてもよい。このようにすることで、小便器装置１の前を横切っただけの人に反応してターゲットマークＭが表示されたり、吐水が開始されたりすることを抑制することができる。したがって、無駄水の発生を抑制することができる。また、小便器装置１が故障していると勘違いされることを抑制することもできる。さらに、使用者が小便器装置１に十分に接近して小便器装置１の前で立ち止まったとき、すなわち、使用者が用を足す位置に到達したときにターゲットマークＭが表示されるようになることから、ターゲットマークＭを適切なタイミングで表示させることができる。
【００４６】
また、小便器装置１の前を人が横切っただけでも、横切る人の位置や移動速度等によっては、小便器本体２から使用者までの距離、または、使用者の小便器本体２への接近速度が閾値以下であると判定されるおそれがある。そこで、制御部７は、まず、小便器本体２から使用者までの距離、または、使用者の小便器本体２への接近速度が閾値以下であると判定した場合に、光投射装置５からボウル面２１への光の投射を開始させる。そして、制御部７は、その後、小便器本体２から使用者までの距離、または、使用者の小便器本体２への接近速度が閾値以下であると判定した状態が所定時間以上継続した場合に、吐水装置３からボウル面２１への吐水を開始させてもよい。このようにすることで、無駄水の発生や小便器装置１が故障していると勘違いされることをより確実に抑制することができる。また、小便器装置１の前を横切っただけの人に反応して光投射装置５からの光の投射が開始されることを抑制することができる。
【００４７】
なお、上述した反射抑制処理における吐水装置３からボウル面２１への吐水は、光投射装置５からボウル面２１に光が投射される期間の少なくとも一部の期間と重複して行われればよい。したがって、制御部７は、たとえば、吐水装置３からボウル面２１への吐水を開始させ、その後、光投射装置５からボウル面２１への光の投射を行ってもよい。
【００４８】
また、ここでは、光投射装置５からボウル面２１への光の投射タイミングと、吐水装置３からボウル面２１への吐水タイミングとを１つの検知部４を用いて決定することとしたが、制御部７は、投射タイミングおよび吐水タイミングをそれぞれ異なる検知部を用いて決定してもよい。また、反射抑制処理における吐水装置３からボウル面２１への吐水タイミングは、検知部４による検知結果に限らず、たとえば、光投射装置５からボウル面２１への光の投射を開始してからの経過時間により決定してもよい。その他、反射抑制処理における吐水装置３からボウル面２１への吐水タイミングは、光投射装置５からボウル面２１へ光が投射される期間と重複するタイミングであればよく、吐水開始の条件は上述した例に限定されない。
【００４９】
反射抑制処理において、制御部７は、吐水装置３からボウル面２１への洗浄水の吐出を開始してから予め設定された時間Ｔ１が経過した場合に、吐水装置３の電磁弁を閉じることにより、吐水装置３からボウル面２１への洗浄水の吐出を停止させる。
【００５０】
その後、使用者が用を足し終え、小便器装置１から離れると、検知部４による使用者の検知状態は、「検知」から「非検知」に切り替わる。制御部７は、検知部４による使用者の検知状態が「検知」から「非検知」に切り替わった場合に、光投射装置５からボウル面２１への光の投射を停止させる。また、制御部７は、吐水装置３の電磁弁を開くことにより、吐水装置３からボウル面２１への洗浄水の吐出を開始させる（使用後洗浄処理）。
【００５１】
使用後洗浄処理において、制御部７は、吐水装置３からボウル面２１への洗浄水の吐出を開始してから予め設定された時間Ｔ２（＞時間Ｔ１）が経過した場合に、吐水装置３の電磁弁を閉じることにより、吐水装置３からボウル面２１への洗浄水の吐出を停止させる。このように、制御部７は、反射抑制処理において、使用後洗浄処理において使用する洗浄水の量よりも少ない量の洗浄水を吐水装置３からボウル面２１に吐出させる。これにより、洗浄水の使用量を抑えることができる。
【００５２】
図７は、小便器装置１による一連の処理手順を示すフローチャートである。図７に示すように、制御部７は、検知部４により使用者が検知されたか否かを判定する（ステップＳ１０１）。この処理は、検知部４により使用者が検知されるまで繰り返される（ステップＳ１０１，Ｎｏ）。
【００５３】
ステップＳ１０１において、検知部４により使用者が検知されたと判定すると（ステップＳ１０１，Ｙｅｓ）、制御部７は、光投射装置５からボウル面２１への光の投射を開始させる。これにより、ボウル面２１にターゲットマークＭが表示される。
【００５４】
つづいて、制御部７は、検知部４により使用者が検知されている時間が所定時間以上となったか否かを判定する（ステップＳ１０３）。すなわち、制御部７は、検知部４により使用者が検知された状態が所定時間以上継続したか否かを判定する。ステップＳ１０３において、検知部４により使用者が検知されている時間が所定時間以上となった場合（ステップＳ１０３，Ｙｅｓ）、制御部７は、反射抑制処理を行う（ステップＳ１０４）。反射抑制処理において、制御部７は、吐水装置３の電磁弁を予め設定された時間Ｔ１だけ開くことにより、吐水装置３からボウル面２１に洗浄水を吐出させる。これにより、小便を当てるべき位置以外の位置に像ＭＲ１，ＭＲ２が映し出されることを抑制することができる。
【００５５】
つづいて、制御部７は、検知部４により使用者が検知されなくなったか否かを判定する（ステップＳ１０５）。制御部７は、検知部４により使用者が検知されなくなるまでステップＳ１０５の処理を繰り返す。
【００５６】
ステップＳ１０５において、検知部４により使用者が検知されなくなった場合（ステップＳ１０５，Ｎｏ）、すなわち、使用者が用を足し終えて小便器装置１から離れた場合、制御部７は、光投射装置５からボウル面２１への光の投射を終了する（ステップＳ１０６）。また、制御部７は、使用後洗浄処理を開始する（ステップＳ１０７）。使用後洗浄処理において、制御部７は、吐水装置３の電磁弁を予め設定された時間Ｔ２だけ開くことにより、吐水装置３からボウル面２１に洗浄水を吐出させる。これにより、ボウル面２１が洗浄される。使用後洗浄処理を終えると、小便器装置１は、一連の洗浄動作を終える。
【００５７】
また、ステップＳ１０３において、検知部４により使用者が検知されている時間が所定時間未満である場合（ステップＳ１０３，Ｎｏ）、制御部７は、検知部４により使用者が検知されなくなったか否かを判定する（ステップＳ１０８）。そして、ステップＳ１０８において、検知部４により使用者が検知されなくなったと判定した場合（ステップＳ１０８，Ｙｅｓ）、制御部７は、処理をステップＳ１０６に移行する。すなわち、反射抑制処理を行うことなく、光投射装置５からボウル面２１への光の投射を終了する。一方、ステップＳ１０８において、検知部４により使用者が検知され続けている場合（ステップＳ１０８，Ｎｏ）、制御部７は、処理をステップＳ１０３に戻す。
【００５８】
なお、ここでは、検知部４により使用者が検知されなくなった場合に、光投射装置５からボウル面２１への光の投射を終了することとしたが、制御部７は、使用者が小便器装置１から離れる前に光投射装置５からボウル面２１への光の投射を終了してもよい。
【００５９】
＜光投射装置５および表示部６の具体的構成＞
次に、上述した光投射装置５および表示部６の具体的な構成について図８を参照して説明する。図８は、光投射装置５および表示部６の斜視図である。
【００６０】
図４に示すように、光投射装置５および表示部６は、スプレッダ３１に内蔵される。表示部６は、スプレッダ３１の上部に配置され、光投射装置５は、表示部６の下方に配置される。
【００６１】
表示部６は、回路基板６１と、回路基板６１に設けられた発光ダイオード６２と、回路基板６１を保持する保持部６３とを備える。発光ダイオード６２は、スプレッダ３１の前面パネル３１１（図１０参照）に設けられた窓部３１１ａ（図１０参照）を介してスプレッダ３１の前方に光を投射する。保持部６３は、回路基板６１の周囲を囲むように形成され、スプレッダ３１の前面パネル３１１に向かって延在することで、前面パネル３１１との間に区画された空間を形成している。この空間には、ポッティング材が充填される。これにより、表示部６の回路基板６１の防水性を向上させることができる。
【００６２】
光投射装置５は、本体部５１と、本体部５１の角度を調整するための調整ネジ５２および軸受け部材５３を備える。本体部５１は、光源である発光ダイオードや発光ダイオードにより発光した光を拡大させるレンズ等を含んで構成される。本体部５１の具体的な構成については後述する。
【００６３】
調整ネジ５２は、軸受け部材５３の下面から上方に向かって延びるネジ穴に挿通される。また、調整ネジ５２の頭部（下端部）は、スプレッダ３１の内部に設けられる図示しない保持部によって回転可能に保持される。
【００６４】
軸受け部材５３は、本体部５１側の側面に、上記ネジ穴に対して傾斜した方向に延在する溝部（図示せず）を備えており、かかる溝部には、本体部５１の側面から軸受け部材５３に向けて突出する凸部５１ａが嵌まり込んでいる。軸受け部材５３は、表示部６の保持部６３に一体的に形成されたガイド部６３１によって上下動可能に支持される。
【００６５】
図示しない保持部材によって調整ネジ５２の頭部が保持されているため、調整ネジ５２を回転させると、軸受け部材５３が保持部６３に設けられたガイド部に沿って上下動する。そして、軸受け部材５３が上下動することで、軸受け部材５３の溝部に嵌まり込んだ凸部５１ａが溝部に押されて前方または後方へ移動する。凸部５１ａが前方または後方へ移動すると、本体部５１が回転軸５１ｂを中心に揺動する。これにより、光投射装置５からの光の投射位置すなわちターゲットマークＭの表示位置を調整することができる。なお、光投射装置５は、本体部５１の両側部に２つの回転軸５１ｂを有しており、２つの回転軸５１ｂは、表示部６の保持部６３に一体的に形成された軸支部６３２に軸支される。
【００６６】
ここで、スプレッダ３１の前後方向における厚みが大きいと、たとえば、使用者の視界がスプレッダ３１によって遮られることで、使用者がターゲットマークＭを適切に認識することが困難となるおそれがある。このため、スプレッダ３１はできるだけ薄く形成されることが望ましい。
【００６７】
また、光投射装置５から投射される光は、ボウル面２１の湾曲した部分に投射されるため、単純に光を投射しただけでは、ターゲットマークＭの形状が歪になってしまうおそれがある。
【００６８】
そこで、実施形態に係る光投射装置５では、スプレッダ３１の厚みを抑えるための工夫や、ターゲットマークＭが所望の形状にて表示されるようにするための工夫がなされている。この点について図９および図１０を参照して説明する。図９は、光投射装置５の本体部５１の分解斜視図である。図１０は、図４に示すＨ部の拡大図である。
【００６９】
図９に示すように、光投射装置５の本体部５１は、発光ダイオード５１１が設けられた回路基板５０１と、第１レンズ５０２と、絞り材５０３と、ケース本体５０４と、マスク材５０５と、第２レンズ５０６と、第３レンズ５０７と、シール材５０８と、保護材５０９と、キャップ５１０とを備える。
【００７０】
回路基板５０１、第１レンズ５０２、絞り材５０３、マスク材５０５、第２レンズ５０６および第３レンズ５０７は、上方から下方にかけてこの順番でケース本体５０４に配置される。また、シール材５０８および保護材５０９は、ケース本体５０４の下部開口にこの順番で取り付けられる。そして、キャップ５１０は、シール材５０８および保護材５０９が取り付けられたケース本体５０４の下部に取り付けられる。
【００７１】
第１レンズ５０２は、発光ダイオード５１１により発光した光を直進させるように束ねる集光レンズとして機能する。光源である発光ダイオード５１１の近傍に第１レンズ５０２を配置することで、発光ダイオード５１１により発光した光の利用効率を高めることができる。
【００７２】
絞り材５０３は、板状の部材であり、第１レンズ５０２を通過した光を部分的に遮る開口５３１を有する。
【００７３】
絞り材５０３に設けられる開口５３１の形状は、ターゲットマークＭの形状およびターゲットマークＭが表示される表示面の形状に応じて決定される。たとえば、ボウル面２１に表示させたいターゲットマークＭの形状が真円である場合、ターゲットマークＭが表示される表示面は湾曲しているため（図４参照）、開口５３１の形状を真円とすると、表示面に表示されるターゲットマークＭの形状は、縦長の楕円状に延びてしまう。そこで、絞り材５０３の開口５３１は、横長の楕円状に形成される。これにより、真円状のターゲットマークＭを表示面に表示させることができる。
【００７４】
このように、光投射装置５は、湾曲した表示面に表示されるターゲットマークＭの形状が所望の形状となるように、第１レンズ５０２を通過した光の形状を絞り材５０３により整えることとした。具体的には、ターゲットマークＭの所望の形状が真円状である場合に、絞り材５０３の開口５３１の形状を横長の楕円形状とすることで、横長の楕円形状の光を湾曲した表示面に投射することとした。これにより、湾曲した表示面に対してターゲットマークＭを表示させる場合であっても、ターゲットマークＭの形状が歪になることを抑制することができる。
【００７５】
ケース本体５０４は、上方および下方の両端が開口した筒状の部材である。具体的には、ケース本体５０４は、前後方向（Ｘ軸方向）の厚みが小さい扁平な角筒状に形成される。
【００７６】
図１０に示すように、ケース本体５０４の内部には、上方から下方に向けて拡径する導光路５４１が形成されており、この導光路５４１を介してケース本体５０４の上部空間と下部空間とが連通している。ケース本体５０４の上部空間には、回路基板５０１、第１レンズ５０２および絞り材５０３が収められ、下部空間には、マスク材５０５、第２レンズ５０６および第３レンズ５０７が収められる。導光路５４１の上端側の開口は、絞り材５０３の開口５３１よりも大きい。
【００７７】
ケース本体５０４の上部空間には、ポッティング材が充填される。これにより、表示部６の回路基板６１の防水性を向上させることができる。光投射装置５に用いられるポッティング材および表示部６に用いられるポッティング材としては、たとえば黒色等の不透明なものが用いられることが好ましい。不透明なポッティング材を用いることで、光投射装置５および表示部６から投射される光が意図しない場所から漏れ出ることを好適に抑制することができる。
【００７８】
マスク材５０５は、薄板状（シート状）の部材であり、導光路５４１の下端部と第２レンズ５０６との間に挟み込まれる。マスク材５０５の中央部には、絞り材５０３の開口５３１よりも大きい開口５５１が形成される。なお、マスク材５０５の開口５５１は、導光路５４１の上端側の開口よりも小さい。実施形態に係る光投射装置５によれば、マスク材５０５および導光路５４１を備えることで、フレアなどの不要な光を削減することができる。また、導光路５４１の上端側の開口を第２レンズ５０６の入光側と同等にして、レンズ外からの光を抑制している。したがって、ターゲットマークＭの輪郭を明確にすることができる。
【００７９】
なお、マスク材５０５としては、本実施形態のように別部材でなく塗装されることとしてもよい。また、光を透過し難いレンズ支持材でも代用が可能である。
【００８０】
第２レンズ５０６および第３レンズ５０７は、ターゲットマークＭを適切な位置に適切な大きさで表示するために設けられる。第３レンズ５０７は、ターゲットマークＭが表示される位置で焦点が合うように第２レンズ５０６との距離を調整して配置される。
【００８１】
ここで、第３レンズ５０７のサイズに合わせてケース本体５０４を形成しようとすると、ケース本体５０４の前後幅が大きくなり、ケース本体５０４を収容するスプレッダ３１の前後幅が大きくなる、つまり、スプレッダ３１の厚みが増すおそれがある。そこで、実施形態に係る光投射装置５では、第３レンズ５０７の大きさに合わせてケース本体５０４を形成するのではなく、ケース本体５０４の下部空間の前後幅に合わせて、第３レンズ５０７の前端部５７１ａおよび後端部５７１ｂをカットすることとした。
【００８２】
このように、実施形態に係る光投射装置５において、絞り材５０３を通過した光を拡大させる第３レンズ５０７を備えており、この第３レンズ５０７は、ケース本体５０４の厚み方向における両端部が切り欠かれた形状を有している。第３レンズ５０７の端部（前端部５７１ａおよび後端部５７１ｂ）をカットすることでターゲットマークＭの明るさが減衰するが、本実施形態では、絞り材５０３の開口５３１の形状により横長の投射光となっており、また光を拡大させるように構成し、投射しているため、カットされた端部を通過する光の明るさへの影響は少ない。このような形状とすることで、スプレッダ３１の厚みを抑えることができる。なお、ここでは、ケース本体５０４の厚み方向における両端部を切り欠くこととしたが、第３レンズ５０７は、ケース本体５０４の厚み方向における両端部のうち一方の端部を切り欠いた形状であってもよい。
【００８３】
絞り材５０３を通過した光は、第２レンズ５０６および第３レンズ５０７によって所定の広がり角度で拡大される。具体的には、絞り材５０３を通過した光は、ケース本体５０４の前後幅よりも大きくなるように拡大される。このように、実施形態に係る光投射装置５によれば、ケース本体５０４を薄型に形成しつつ、ターゲットマークＭの大きさが小さくなることを抑制することができる。
【００８４】
ここでは、絞り材５０３を通過した光を第２レンズ５０６および第３レンズ５０７の２枚のレンズを用いて拡大させる場合の例を示した。これに限らず、たとえばターゲットマークＭの明るさが十分に確保できる場合には、１枚のレンズでターゲットマークＭの大きさを調整することも可能である。
【００８５】
シール材５０８は、枠状の部材であり、ケース本体５０４の下端部および後述する保護材５０９の上面外周部に配置されることで、ケース本体５０４の下部空間に水や埃等が入り込むことを防止することができる。
【００８６】
保護材５０９は、板状の透明部材であり、シール材５０８を介してケース本体５０４の下部開口に取り付けられることにより、ケース本体５０４の下部空間を塞ぐ。保護材５０９を設けることで、第３レンズ５０７を保護することができる。
【００８７】
キャップ５１０は、ケース本体５０４の下端部を覆うようにケース本体５０４に取り付けられる。シール材５０８および保護材５０９は、キャップ５１０によりケース本体５０４の下端部に押しつけられることで、ケース本体５０４に固定される。
【００８８】
図１０に示すように、光投射装置５の下端部は、スプレッダ３１の下部に設けられた光投射用の開口よりも上方に位置する。これにより、たとえば、使用者がスプレッダ３１の清掃を行った際に、本体部５１の保護材５０９に触れることによって保護材５０９が汚れたり傷ついたりすることを抑制することができる。
【００８９】
＜変形例＞
上述した実施形態では、反射抑制処理において、流水状の洗浄水をボウル面２１に吐出する場合の例について説明したが、反射抑制処理においては、少なくともボウル面２１に洗浄水が付着すればよく、必ずしも洗浄水が流れていることを要しない。したがって、反射抑制処理において、吐水装置３は、霧状あるいはシャワー状の洗浄水をボウル面２１に吐出してもよい。この場合、吐水装置３は、使用後洗浄処理において流水状の洗浄水を吐出する第１吐出口と、この第１吐出口とは別に、反射抑制処理において霧状あるいはシャワー状の洗浄水を吐出する第２吐出口とを備える構成であってもよい。
【００９０】
上述してきたように、実施形態に係る小便器装置１は、小便器本体２と、吐水装置３と、検知部４と、光投射装置５と、制御部７とを備える。小便器本体２は、小便を受けるボウル面２１を備える。吐水装置３は、ボウル面２１に洗浄水を吐出する。検知部４は、使用者を検知する。光投射装置５は、ボウル面２１に光を投射することにより、使用者が小便を当てるべき位置を示すターゲットマークＭをボウル面２１に表示する。制御部７は、吐水装置３を制御する。また、制御部７は、検知部４が使用者を検知している状態から使用者を検知していない状態になった場合に、吐水装置３から洗浄水を吐出させる使用後洗浄処理と、検知部４が使用者を検知している状態において、光投射装置５からボウル面２１に光が投射される期間の少なくとも一部の期間と重複して吐水装置３からボウル面２１に洗浄水を吐出させる反射抑制処理とを有する。
【００９１】
光投射装置５からボウル面２１に光が投射される期間の少なくとも一部の期間と重複して吐水装置３からボウル面２１に洗浄水を吐出させることで、光投射装置５から投射された光のボウル面２１での反射を抑えることができる。これにより、小便を当てるべき位置以外の位置に像ＭＲ１，ＭＲ２が映し出されることが抑制される。したがって、光投射装置５から投射される光を用いて小便を当てるべき位置を使用者に適切に認識させることができる。
【００９２】
光投射装置５は、検知部４が使用者を検知した場合に、ボウル面２１への光の投射を開始するようにしてもよい。この場合、制御部７は、光投射装置５からボウル面２１への光の投射が開始された後で、反射抑制処理を開始してもよい。
【００９３】
これにより、光投射装置５のボウル面２１への光の投射が開始された直後においては、ターゲットマークＭの反射が抑制されず、像ＭＲ１，ＭＲ２がボウル面２１に映し出されることで、使用者にターゲットマークＭの存在を気付かせ易くすることができる。その後、反射抑制処理が開始されてターゲットマークＭの反射が抑制されることで、像ＭＲ１，ＭＲ２が消えるため、使用者にターゲットマークＭの位置を正しく認識させることができる。
【００９４】
制御部７は、検知部４による使用者の検知結果に基づき、小便器本体２から使用者までの距離、または、使用者の小便器本体２への接近速度が閾値以下のときに、反射抑制処理を開始してもよい。
【００９５】
これにより、小便器装置１の前を横切っただけの人に反応して吐水が開始されたりすることを抑制することができる。すなわち、無駄水の発生を抑制することができる。また、使用者が小便器装置１に十分に接近して用を足す位置に到達したときにターゲットマークＭが表示されるようになることから、ターゲットマークＭを適切なタイミングで表示させることができる。
【００９６】
制御部７は、検知部４による使用者の検知結果に基づき、小便器本体２から使用者までの距離、または、使用者の小便器本体２への接近速度が閾値以下であると判定した場合に、光投射装置５からボウル面２１への光の投射を開始させ、使用者までの距離、または、使用者の小便器本体への接近速度が閾値以下であると判定した状態が所定時間以上継続した場合に、反射抑制処理を開始してもよい。
【００９７】
小便器装置１の前を人が横切っただけでも、横切る人の位置や移動速度等によっては、小便器本体２から使用者までの距離、または、使用者の小便器本体２への接近速度が閾値以下であると判定されるおそれがある。これに対し、小便器本体２から使用者までの距離、または、使用者の小便器本体２への接近速度が閾値以下であると判定された状態が所定時間以上継続した場合に、吐水装置３からボウル面２１への吐水を開始させることで、無駄水の発生をより確実に抑制することができる。
【００９８】
また、小便器装置１の前を横切っただけの人に反応して光投射装置５からの光の投射が開始されたりすることを抑制することができる。
【００９９】
制御部７は、反射抑制処理において、使用後洗浄処理において使用する洗浄水の量よりも少ない量の洗浄水を吐水装置３からボウル面２１に吐出させてもよい。これにより、洗浄水の使用量を抑えることができる。
【０１００】
吐水装置３は、反射抑制処理において、使用者が小便を当てるべき位置と、反射抑制処理を行わないと仮定した場合に使用者が小便を当てるべき位置から反射したターゲットマークＭが映し出される位置とを含む領域に洗浄水を吐出してもよい。
【０１０１】
ターゲットマークＭが表示される位置に洗浄水を付着させることで、ターゲットマークＭが表示される位置から反射する光を洗浄水によって乱反射させることができる。これにより、小便を当てるべき位置以外の位置に像ＭＲ１，ＭＲ２が映し出されることを抑制することができる。また、像ＭＲ１，ＭＲ２が映し出される位置に洗浄水が付着することで、かかる位置においても光を乱反射させることができる。したがって、これによっても、小便を当てるべき位置以外の位置に像ＭＲ１，ＭＲ２が映し出されることを抑制することができる。
【０１０２】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１０３】
Ｍ  ターゲットマーク
１  小便器装置
２  小便器本体
３  吐水装置
４  検知部
５  光投射装置
６  表示部
７  制御部
２１  ボウル面
３１  スプレッダ
５１  本体部
５０１  回路基板
５０２  第１レンズ
５０３  絞り材
５０４  ケース本体
５０５  マスク材
５０６  第２レンズ
５０７  第３レンズ
５０８  シール材
５０９  保護材
５１０  キャップ
【図１】
2020122328.tif 000003
【図２】
2020122328.tif 000004
【図３】
2020122328.tif 000005
【図４】
2020122328.tif 000006
【図５】
2020122328.tif 000007
【図６】
2020122328.tif 000008
【図７】
2020122328.tif 000009
【図８】
2020122328.tif 000010
【図９】
2020122328.tif 000011
【図１０】
2020122328.tif 000012